(57)【要約】【課題】  視覚的だけでなく、聴覚的にも斬新な商品性に優れた車両用表示装置を提供する。【解決手段】  表示器１０は、第一の表示領域または第二の表示領域に画像を表示する。制御手段１００は、表示器１０に指標画像を表示させる。移動機構は、環状可動部材が第一の表示領域に表示された指標画像を囲む第一の位置から、環状可動部材が第二の表示領域に表示された指標画像を囲む第二の位置へ、環状可動部材を移動させる。発音素子８５は、環状可動部材が第一の位置から第二の位置へ移動するときに音を発する。【選択図】  図８
2013096739.tif 000002
【特許請求の範囲】
【請求項１】
表示画面に画像を表示する表示器と、前記表示領域上に位置する可動部材と、前記可動部材を移動させる移動機構と、前記可動部材が移動するときに音を発する発音素子と、を備えたことを特徴とする車両用表示装置。
【請求項２】
第一の表示領域または第二の表示領域に画像を表示する表示器と、前記表示器に指標画像を表示させる制御手段と、前記指標画像を囲む環状可動部材と、前記環状可動部材が前記第一の表示領域に表示された前記指標画像を囲む第一の位置から、前記環状可動部材が前記第二の表示領域に表示された前記指標画像を囲む第二の位置へ、前記環状可動部材を移動させる移動機構と、前記環状可動部材が前記第一の位置から前記第二の位置へ移動するときに音を発する発音素子と、を備えたことを特徴とする車両用表示装置。
【請求項３】
前記発音素子が発する音は、機械的な擬音であることを特徴とする請求項１または請求項２に記載の車両用表示装置。
【請求項４】
前記発音素子からの音の発生をオフさせる操作手段を備えたことを特徴とする請求項１または請求項２に記載の車両用表示装置。
【請求項５】
前記発音素子が発する複数の音の音声データを記憶したメモリ部を備えたことを特徴とする請求項１または請求項２に記載の車両用表示装置。
【請求項６】
前記発音素子は、前記環状可動部材が前記第一の位置から前記第二の位置へ移動するときに第一の音を発し、前記可動部材が前記第二の位置から前記第一の位置へ移動するときに第二の音を発することを特徴とする請求項２に記載の車両用表示装置。
【発明の詳細な説明】
【技術分野】
【０００１】
本発明は、環状部材等の可動部材を備えた車両用表示装置に関するものである。
【背景技術】
【０００２】
従来より、車両用表示装置が種々提案されており、例えば特許文献１に開示されている。斯かる車両用表示装置は、表示器と、この表示器の表示面側に位置する２つの環状部材と、電動機の動力によって２つの環状部材を移動させる移動機構と、を備えている。この２つの環状部材は、例えば、エンジン回転数を表示するタコメータの外枠としての役割を有する環状部材と、車両速度を表示する速度計の外枠としての役割を有する環状部材であり、それぞれ、移動機構によって円弧状に移動することができる。
【先行技術文献】
【特許文献】
【０００３】
【特許文献１】特開２０１０−１７５４１１号公報
【発明の概要】
【発明が解決しようとする課題】
【０００４】
前述した車両用表示装置は、２つの環状部材を移動させると共に、環状部材の移動に合わせて表示器の表示内容を変化させるものであり、視覚的には斬新であったが、聴覚的な演出は考慮されていないという問題を有していた。
本発明は、この問題に鑑みなされたものであり、視覚的にも聴覚的にも斬新で、商品性が高い車両用表示装置を提供するものである。
【課題を解決するための手段】
【０００５】
本発明は、請求項１に記載のように、表示画面に画像を表示する表示器１０と、前記表示画面上に位置する可動部材４１，５１と、前記可動部材４１，５１を移動させる移動機構６０，７０と、前記可動部材４１，５１が移動するときに音を発する発音素子８５と、を備えたものである。
【０００６】
また、本発明は、請求項２に記載のように、第一の表示領域Ｓ１または第二の表示領域Ｓ２に画像を表示する表示器１０と、前記表示器１０に指標画像１１，１２を表示させる制御手段１００と、前記指標画像１１，１２を囲む環状可動部材４１，５１と、前記環状可動部材４１，５１が前記第一の表示領域Ｓ１に表示された前記指標画像１１，１２を囲む第一の位置から、前記環状可動部材４１，５１が前記第二の表示領域に表示された前記指標画像１１，１２を囲む第二の位置へ、前記環状可動部材４１，５１を移動させる移動機構６０，７０と、前記環状可動部材４１，５１が前記第一の位置から前記第二の位置へ移動するときに音を発する発音素子８５と、を備えたものである。
【０００７】
また、本発明は、請求項３に記載のように、前記発音素子８５が発する音は、機械的な擬音である。
【０００８】
また、本発明は、請求項４に記載のように、前記発音素子８５からの音の発生をオフさせる操作手段１２０を備えたものである。
【０００９】
また、本発明は、請求項５に記載のように、前記発音素子８５が発する複数の音の音声データ１０３ａ〜１０３ｆを記憶したメモリ部１０３を備えたものである。
【００１０】
また、本発明は、請求項６に記載のように、前記発音素子８５は、前記環状可動部材４１，５１が前記第一の位置から前記第二の位置へ移動するときに第一の音を発し、前記環状可動部材４１，５１が前記第二の位置から前記第一の位置へ移動するときに第二の音を発するものである。
【発明の効果】
【００１１】
可動部材の移動や表示器に表示される画像の移動と共に、発音素子から音声が出力されるため、視覚的だけでなく、聴覚的にも斬新な商品性に優れた車両用表示装置になる。
【図面の簡単な説明】
【００１２】
【図１】本発明の実施形態を示す移動機構の模式図。
【図２】同上実施形態を示す移動機構の模式図。
【図３】同上実施形態を示す指針式計器の模式図。
【図４】同上実施形態を示す伝達機構の模式図。
【図５】同上実施形態を示す第一パターンの説明図。
【図６】同上実施形態を示す第二パターンの説明図。
【図７】同上実施形態を示す表示器の模式図。
【図８】同上実施形態を示すブロック図。
【図９】同上実施形態を示すメモリ部の模式図。
【発明を実施するための形態】
【００１３】
以下、添付図面に基づいて、本発明の一実施形態を参照して説明する。車両用表示装置は、表示器１０と、指針式計器２０，３０と、装飾ユニット４０，５０と、移動機構６０，７０と、回路基板８０と、ハウジング９０と、を備える。  
【００１４】
表示器１０は、例えば１２．３インチの表示画面を有するＴＦＴ（Thin Film Transistor）液晶表示器であり、後述する制御部１００の制御の下、車両速度，エンジン回動数，各種警告等を表示する。また、表示器１０は、左右方向にスライド移動する指針式計器２０，３０及び装飾ユニット４０，５０の位置状態（後述する「第一パターン」、「第二パターン」等）に合わせて、表示態様を変化させる。表示器１０は、ＴＦＴ型液晶表示パネル，偏光板，バックライト，ディスプレイ用筐体等（図示せず）から構成され、ハウジング９０に形成された取付部材（図示せず）に取り付けられ、所定位置に配置され、支持される。  
【００１５】
指針式計器２０は、指針駆動部２１と、第一マグネット体２２と、第二マグネット体２３と、指針ユニット２４と、を備える。指針式計器２０を構成する各部は、移動板６１に直接、又は移動板６１に取り付けられる装飾ユニット４０を介して取り付けられているため、移動板６１の移動に伴い移動する。  
【００１６】
指針駆動部２１は、例えばステッピングモータから構成され、制御部１００の制御の下、車両速度に応じて回動軸２１ａを回動させる。指針駆動部２１は、移動板６１に固定されている。  第一マグネット体２２は、回動軸２１ａに取り付けられ、回動軸２１ａの回動に伴い、回動する。このように取り付けられた第一マグネット体２２は、表示器１０のすぐ裏に位置する。  
【００１７】
第二マグネット体２３は、表示器１０の表側であって、第一マグネット体２２と対向する位置に位置する。第二マグネット体２３は、第一マグネット体２２からの表示器１０を透過した磁力を受け、第一マグネット体２２の回動に従って、回動する。第二マグネット体２３は、指針ユニット２４の指針軸２４ａに取り付けられている。  
【００１８】
このような第一マグネット体２２と第二マグネット体２３により、指針駆動部２１の回転動力は、指針ユニット２４へ伝えられ、指針ユニット２４は回動することができる。表示器１０のディスプレイ用筐体は、このように磁力を透過させる必要があるため、アルミ等の非磁性体により形成される。  
【００１９】
指針式計器３０は、指針駆動部３１と、第一マグネット体３２と、第二マグネット体３３と、指針ユニット３４と、を備える。指針式計器２０を構成する各部は、移動板７１に直接、又は移動板７１に取り付けられる装飾ユニット５０を介して取り付けられているため、移動板７１の移動に伴い移動する。  
【００２０】
指針駆動部３１は、例えばステッピングモータから構成され、制御部１００の制御の下、エンジン回転数に応じて回動軸３１ａを回動させる。指針駆動部３１は、移動板７１に固定されている。  第一マグネット体３２は、回動軸３１ａに取り付けられ、回動軸３１ａの回動に伴い、回動する。このように取り付けられた第一マグネット体３２は、表示器１０のすぐ裏に位置する。  
【００２１】
第二マグネット体３３は、表示器１０の表側であって、第一マグネット体３２と対向する位置に位置する。第二マグネット体３３は、第一マグネット体３２からの表示器１０を透過した磁力を受け、第一マグネット体３２の回動に従って、回動する。第二マグネット体３３は、指針ユニット３４の指針軸３４ａに取り付けられている。  
【００２２】
このような第一マグネット体３２と第二マグネット体３３により、指針駆動部３１の回転動力は、指針ユニット３４へ伝えられ、指針ユニット３４は回動することができる。  
【００２３】
装飾ユニット４０は、リング部材４１及び支持部材４２を備え、移動機構６０により、指針式計器２０と共にスライド移動する。装飾ユニット４０の支持部材４２は、透光性樹脂からなるものであり、略円錐形状になっている。装飾ユニット４０の支持部材４２は、指針ユニット２４の回動軸２４ａを回動可能な状態で支持している。リング部材４１を移動板６１に取り付け、固定することで、装飾ユニット４０は、移動板６１がスライド移動するに伴ってスライド移動する。  
【００２４】
装飾ユニット５０は、リング部材５１及び支持部材５２を備え、移動機構７０により、指針式計器３０と共にスライド移動する。装飾ユニット５０の支持部材５２は、透光性樹脂からなるものであり、略円錐形状になっている。装飾ユニット５０の支持部材５２は、指針ユニット３４の回動軸３４ａを回動可能な状態で支持している。リング部材５１を移動板７１に取り付け、固定することで、装飾ユニット５０は、移動板７１がスライド移動するに伴ってスライド移動する。  
【００２５】
移動機構６０は、移動板６１と、駆動部６２と、伝達機構６３と、を備える。移動機構６０は、指針式計器２０及び装飾ユニット４０を左右方向にスライド移動させるための機構である。  
【００２６】
移動板６１は、例えば、樹脂材料やアルミ等の非磁性金属から形成される部材である。移動板６１は、指針式計器２０と装飾ユニット４０とを保持する。また、移動板６１は、その裏面に形成された挟持部６１ａにより、伝達機構６３のタイミングベルト６３ｃに取り付けられる。  
【００２７】
移動板６１には、指針駆動部２１の回動軸２１ａを通すための開口部が設けられている。移動板６１の裏面側には、取付部６１ｄが形成されている。取付部６１ｄに指針駆動部２１が取り付けられることで、指針駆動部２１は移動板６１に固定される。駆動部６２は、例えばステッピングモータからなる。駆動部６２は、制御部１００の制御の下、回動軸６２ａを回動させる。  
【００２８】
移動機構７０は、移動板７１と、駆動部７２と、伝達機構７３と、を備える。移動機構７０は、指針式計器３０及び装飾ユニット５０を左右方向にスライド移動させるための機構である。  
【００２９】
移動板７１は、例えば、樹脂材料やアルミ等の非磁性金属から形成される部材である。移動板７１は、指針式計器３０と装飾ユニット５０とを保持する。また、移動板７１は、その裏面に形成された挟持部７１ａにより、伝達機構７３のタイミングベルト７３ｃに取り付けられる。  
【００３０】
移動板７１には、指針駆動部３１の回動軸３１ａを通すための開口部が設けられている。指針駆動部３１は移動板７１に固定されている。駆動部７２は、例えばステッピングモータからなる。駆動部７２は、制御部１００の制御の下、回動軸７２ａを回動させる。駆動部７２は、駆動部６２の下に位置する。  
【００３１】
伝達機構６３と伝達機構７３とは、互いに、上下方向に所定の間隔を空けて配置される（図４参照）。このように両者を配置することで、車両用表示装置が表裏方向に厚くなることを避けることができるため、車両用表示装置を薄くすることが可能である。伝達機構６３は、伝達機構７３の下側に位置する。  
【００３２】
伝達機構６３は、左右方向に所定の間隔を空けて配置された２つのプーリー６３ａ，６３ｂと、両者に巻回されるタイミングベルト６３ｃと、から構成される。プーリー６３ａは、車両用表示装置の表側から見て右側に位置し、駆動部６２の回動軸６２ａに圧入され、回動軸６２ａの回動に伴い回動する。プーリー６３ｂは、車両用表示装置の表側から見て左側に位置し、移動機構用筐体６５に取り付けられた軸に回動可能に保持される。タイミングベルト６３ｃは、２つのプーリー６３ａ，６３ｂが空転しないように所定の張力をもって取り付けられるため、プーリー６３ａが回動すると、プーリー６３ｂも同様に回動する。このようにして、伝達機構６３は、駆動部６２で発生した回転動力をスライド方向（左右方向）の動力に変換して、前述のようにタイミングベルト６３ｃに取り付けられた移動板６１をスライド移動させる。  
【００３３】
伝達機構７３は、左右方向に所定の間隔を空けて配置された２つのプーリー７３ａ，７３ｂと、両者に巻回されるタイミングベルト７３ｃと、から構成される。プーリー７３ａは、車両用表示装置の表側から見て右側に位置し、駆動部７２の回動軸７２ａに圧入され、回動軸７２ａの回動に伴い回動する。プーリー７３ｂは、車両用表示装置の表側から見て左側に位置し、移動機構用筐体６５に取り付けられた軸に回動可能に保持される。タイミングベルト７３ｃは、２つのプーリー７３ａ，７３ｂが空転しないように所定の張力をもって取り付けられるため、プーリー７３ａが回動すると、プーリー７３ｂも同様に回動する。このようにして、伝達機構７３は、駆動部７２で発生した回転動力をスライド方向（左右方向）の動力に変換して、前述のようにタイミングベルト４２３ｃに取り付けられた移動板７１をスライド移動させる。  
【００３４】
回路基板８０は、移動機構６０，７０の裏側に位置して、ハウジング９０の内面に支持される。回路基板８０には、スピーカ８５，マイコン１０１等が搭載されている。スピーカ８５からの音は、ハウジング９０の背面に形成された多数の微小な貫通孔から、ハウジング９０の外に発せられる。ハウジング９０は、上記各部（表示器１０，指針式計器２０，３０装飾ユニット４０，５０，移動機構６０，７０，回路基板８０）を収納する筐体である。  
【００３５】
次に、図８を参照して、車両用表示装置の電気的構成について説明する。車両用表示装置は、制御部１００と、車両情報入力ポート１１０，操作部１２０，表示器１０，指針駆動部２１，３２，駆動部６２，７２と、スピーカ８５と、を備える。  
【００３６】
制御部１００は、マイコン１０１と、グラフィックディスプレイコントローラー（以下、「ＧＤＣ」と記す）１０２と、メモリ部１０３と、表示器１０，指針駆動部２１，３２，駆動部６２，７２を駆動する各種ドライバＩＣ（Integrated Circuit）（図示せず）と、を備える。制御部１００は、例えば、車両速度、エンジン回動数等の各種計測量を算出し、表示器１０，指針式計器２０，３０の動作を制御し、算出した計測量を表示させる。  
【００３７】
マイコン１０１は、ＣＰＵ（Central Processing Unit），ＲＯＭ（Read Only Memory）、ＲＡＭ（Random Access Memory），入出力インターフェイス等を備え、車両情報入力ポート１１０から入力された各種情報を受け付け、各部に制御信号を出力する。マイコン１０１のＣＰＵは、例えば、ＲＯＭ内に予め記憶された表示形態変形処理を実行するための所定プログラムを読み出し実行する。ＧＤＣ１０２は、マイコン１０１と協働して、表示器１０の表示を制御する。メモリ部１０３には、スピーカ８５から発する音声Ａ〜Ｆに対応する音声データ１０３ａ〜１０３ｆが記憶されている。音声Ａ〜Ｆは、適宜選定されるものであり、例えば、各種メロディ，ブザー音，機械的な擬音である。機械的な擬音は、例えば、テレビや映画のアニメーションに登場する変身ロボットの変身時の効果音である。  
【００３８】
車両情報入力ポート１１０は、車両ＥＣＵ（Electronic Control Unit）から通信ラインにより伝送される各種状態情報や、車両ドライバーがシートベルトを着用しているか否かを検出するシートベルト検出器からのセンサ情報が入力されるポートである。  
【００３９】
以上の構成からなる車両用表示装置は、制御部１００の制御の下、所定の情報をトリガとして、装飾ユニット４０，５０を各々スライド移動させ、装飾ユニット４０，５０を複数の状態に変形させるとともに、その状態に対応させて表示器１０の表示を変化させる。  
【００４０】
車両用表示装置は、制御部１００により移動機構６０，７０を駆動制御して、装飾ユニット４０，５０が表示器１０の表示画面の中央部に位置する第一パターンの状態（図５参照）と、装飾ユニット４０が表示器１０の表示画面の右端部に位置し、且つ、装飾ユニット５０が表示領域の左端部に位置する第二パターンの状態（図６参照）と、に変形させる。  
【００４１】
第一パターンから第二パターンに移行するときには、スピーカ８５から音声Ａが出力され、第二パターンから第一パターンに移行するときには、スピーカ８５から音
声Ｂが出力される。また、操作部１２０を操作して、音声Ｃ〜Ｆを選択したり、音声を発しないようにセットすることが可能になっている。  
【００４２】
第一パターンでは、表示器１０の表示領域Ｓ１に指標画像１１が表示され、この指標画像１１を装飾ユニット４０，５０のリング部材４１，５１が囲む位置に、装飾ユニット４０，５０が移動する。また、第二パターンでは、表示器１０の表示領域Ｓ２に指標画像１２が表示され、この指標画像１２を装飾ユニット４０，５０のリング部材４１，５１が囲む位置に、装飾ユニット４０，５０が移動する。なお、指標画像１１，１２は、指針ユニット２４，３４に指示される目盛り画像と、数字画像とからなるものである。  
【００４３】
このような、車両用表示装置の動作は、マイコン１０１が実行する表示形態変形処理によって実現される。車両用表示装置は、第二パターンの状態で、表示器１０の表示画面のうち、装飾ユニット４０と装飾ユニット５０とが左右に開くことで形成される領域に、「シートベルトを締めて下さい」という警告情報を表示させてもよい。  
【００４４】
本実施形態によれば、車両用表示装置が第一パターンから第二パターンに移行するとき、及び、第二パターンから第一パターンに移行するときに、装飾部材４０，５０の移動や、表示器１０に表示される指標画像１１，１２の移動と共に、スピーカ８５から音声Ａ〜Ｆが出力されるため、視覚的だけでなく、聴覚的にも斬新な商品性に優れた車両用表示装置になる。車両用表示装置が警告情報を表示するときに、スピーカ８５から音声Ａ〜Ｆを出力する場合には、車両ドライバーに警告情報について注意を喚起することができる。また、移動機構６０，７０から若干のノイズが発生したとしても、このノイズが音声Ａ〜Ｆによって聞こえ難くなるという効果も期待できる。  
【００４５】
なお、本発明は、本実施形態に限定されるものではなく、種々の変形が可能であり、例えば、印刷形成された文字盤を備えた指針式計器ユニットを移動させる車両用表示装置にも適用可能である。また、本実施形態は、装飾ユニット４０，５０を平行移動させるものであったが、装飾ユニット４０，５０を円弧状に移動させるように構成しても良い。
【符号の説明】
【００４６】
１０  表示器
１１  指標画像
１２  指標画像
４１  リング部材（環状可動部材）
５１  リング部材（環状可動部材）
６０  移動機構
７０  移動機構
８５  スピーカ（発音素子）
１００  制御部（制御手段）
１０３  メモリ部
１２０  操作部（操作手段）
Ｓ１  表示領域（第一の表示領域）
Ｓ２  表示領域（第二の表示領域）
【図１】
2013096739.tif 000003
【図２】
2013096739.tif 000004
【図３】
2013096739.tif 000005
【図４】
2013096739.tif 000006
【図５】
2013096739.tif 000007
【図６】
2013096739.tif 000008
【図７】
2013096739.tif 000009
【図８】
2013096739.tif 000010
【図９】
2013096739.tif 000011